(57)【特許請求の範囲】
【請求項１】
電話回線と接続可能な２つの端子を有する回線接続端子と、
前記回線接続端子の一方の端子と接続され、前記回線接続端子の他方の端子と接続され、前記電話回線を介して接続される交換機との間で第１の閉回路を構成可能であって、前記電話回線を介して信号の送受信を行う信号送受信部と、
前記信号送受信部に電力を供給する電源部と、
制御部と、
前記一方の端子と前記信号送受信部との間に設けられる第１接点、及び、前記他方の端子と前記信号送受信部との間に設けられる第２接点に一対の接続線を介して接続され、前記回線接続端子に前記電話回線が接続されている際、前記交換機との間で第２の閉回路を構成し、前記第２の閉回路の抵抗成分がハイインピーダンスとローインピーダンスとに切替可能に構成された抵抗切替閉回路と、
前記一方の端子と前記抵抗切替閉回路との間に設けられた電流検出部と、
を備え、
前記制御部は、
前記電源部に対して、前記電源部が前記信号送受信部に電力を供給する通常モードと前記電源部が前記信号送受信部に電力を供給しないオフモードとの切り替えを指示可能であって、
前記通常モードの際は、前記抵抗切替閉回路の抵抗成分を前記ハイインピーダンスにし、前記オフモードの際は、前記抵抗切替閉回路の抵抗成分を前記ローインピーダンスにし、
前記オフモードの際に、前記電流検出部が電流を検出したことを検知した場合、前記抵抗切替閉回路の抵抗成分を前記ローインピーダンスから前記ハイインピーダンスに切り替え、前記電源部に対して前記オフモードから前記通常モードへ切り替え、
更に、
画像処理部と、
オン、又は、オフ操作可能な電源キーを含む操作部と
を備え、
前記制御部は、
前記通常モードにおいて、
前記電源部に対して前記画像処理部及び前記信号送受信部への電力供給を指示する第１通常モードと、前記電源部に対して前記画像処理部への電力供給を指示し、前記信号送受信部には電力供給を指示しない第２通常モードを指示可能であって、
前記オフモードの際に、前記電流検出部が電流を検出したことを検知した場合、前記オフモードから前記電源部が前記第１通常モードへ切り替え、前記電源キーのオン操作を検知した場合、前記オフモードから前記第２通常モードへ切り替え、
前記第１通常モードの際は、前記抵抗切替閉回路の抵抗成分を前記ハイインピーダンスにし、前記第２通常モード及び前記オフモードの際は、前記抵抗切替閉回路の抵抗成分を前記ローインピーダンスにする、
通信装置。
【請求項２】
請求項１に記載の通信装置であって、
前記制御部は、
前記第２通常モードの際に、前記電流検出部が電流を検出したことを検知した場合、前記第２通常モードから前記第１通常モードに切り替える、
通信装置。
【請求項３】
請求項１に記載の通信装置であって、
前記制御部は、
前記第２通常モードの際に、所定時間経過しても前記画像処理部に画像処理を実行させる命令がない場合、前記第２通常モードから前記電源部が前記画像処理部に電力を供給しないスリープモードに切り替え、
前記スリープモードの際に、前記画像処理部に画像処理を実行させる命令があった場合、前記スリープモードから前記第２通常モードに切り替える、
通信装置。
【請求項４】
電話回線と接続可能な２つの端子を有する回線接続端子と、
前記回線接続端子の一方の端子と接続され、前記回線接続端子の他方の端子と接続され、前記電話回線を介して接続される交換機との間で第１の閉回路を構成可能であって、前記電話回線を介して信号の送受信を行う信号送受信部と、
前記信号送受信部に電力を供給する電源部と、
制御部と、
前記一方の端子と前記信号送受信部との間に設けられる第１接点、及び、前記他方の端子と前記信号送受信部との間に設けられる第２接点に一対の接続線を介して接続され、前記回線接続端子に前記電話回線が接続されている際、前記交換機との間で第２の閉回路を構成し、前記第２の閉回路の抵抗成分がハイインピーダンスとローインピーダンスとに切替可能に構成された抵抗切替閉回路と、
前記一方の端子と前記抵抗切替閉回路との間に設けられた電流検出部と、
を備え、
前記制御部は、
前記電源部が前記信号送受信部に電力供給しているときに、前記抵抗切替閉回路の抵抗成分をハイインピーダンスにし、
前記電源部が前記信号送受信部に電力供給していないときに、前記抵抗切替閉回路の抵抗成分をローインピーダンスにし、前記電流検出部が電流を検出したことを検知した場合、前記電源部に対して前記信号送受信部への電力供給を指示し、
前記抵抗切替閉回路は、
前記一対の接続線の一方の第１接続線に一端が接続された第１抵抗と、
前記第１抵抗よりも大きい抵抗値を有し、前記第１接続線に一端が接続された第２抵抗と、
入力端子が前記第１抵抗の他端に接続され、出力端子が前記一対の接続線の他方の第２接続線に接続され、制御端子が前記第２抵抗の他端に接続された第１スイッチング素子と、
入力端子が前記第２抵抗の他端に接続され、出力端子が前記第２接続線に接続され、制御端子が前記制御部に接続された第２スイッチング素子と
を備える、
通信装置。
【請求項５】
請求項４に記載の通信装置であって、
前記第１スイッチング素子は、ｎｐｎ型トランジスタであり、
前記第２スイッチング素子は、ｐｎｐ型トランジスタである、
通信装置。
【請求項６】
請求項４または５に記載の通信装置であって、
前記制御部は、
前記電源部に対して、前記電源部が前記信号送受信部に電力を供給する通常モードと前記電源部が前記信号送受信部に電力を供給しないオフモードとの切り替えを指示可能であって、
前記通常モードの際は、前記抵抗切替閉回路の抵抗成分を前記ハイインピーダンスにし、前記オフモードの際は、前記抵抗切替閉回路の抵抗成分を前記ローインピーダンスにし、
前記オフモードの際に、前記電流検出部が電流を検出したことを検知した場合、前記抵抗切替閉回路の抵抗成分を前記ローインピーダンスから前記ハイインピーダンスに切り替え、前記電源部に対して前記オフモードから前記通常モードへ切り替える、
通信装置。
【請求項７】
請求項６に記載の通信装置であって、
更に、
オン、又は、オフ操作可能な電源キーを含む操作部
を備え、
前記制御部は、
前記オフモードの際に、前記電源キーのオン操作、又は、前記電流検出部が電流を検出したことを検知した場合、前記オフモードから前記通常モードへ切り替える、
通信装置。
【請求項８】
請求項６に記載の通信装置であって、
更に、
画像処理部と、
オン、又は、オフ操作可能な電源キーを含む操作部と
を備え、
前記制御部は、
前記通常モードにおいて、
前記電源部に対して前記画像処理部及び前記信号送受信部への電力供給を指示する第１通常モードと、前記電源部に対して前記画像処理部への電力供給を指示し、前記信号送受信部には電力供給を指示しない第２通常モードを指示可能であって、
前記オフモードの際に、前記電流検出部が電流を検出したことを検知した場合、前記オフモードから前記電源部が前記第１通常モードへ切り替え、前記電源キーのオン操作を検知した場合、前記オフモードから前記第２通常モードへ切り替え、
前記第１通常モードの際は、前記抵抗切替閉回路の抵抗成分を前記ハイインピーダンスにし、前記第２通常モード及び前記オフモードの際は、前記抵抗切替閉回路の抵抗成分を前記ローインピーダンスにする、
通信装置。
【請求項９】
請求項８に記載の通信装置であって、
前記制御部は、
前記第２通常モードの際に、前記電流検出部が電流を検出したことを検知した場合、前記第２通常モードから前記第１通常モードに切り替える、
通信装置。
【請求項１０】
請求項８に記載の通信装置であって、
前記制御部は、
前記第２通常モードの際に、所定時間経過しても前記画像処理部に画像処理を実行させる命令がない場合、前記第２通常モードから前記電源部が前記画像処理部に電力を供給しないスリープモードに切り替え、
前記スリープモードの際に、前記画像処理部に画像処理を実行させる命令があった場合、前記スリープモードから前記第２通常モードに切り替える、
通信装置。
【発明の詳細な説明】
【技術分野】
【０００１】
本発明は、ＦＡＸ通信を行う通信装置に関する。
【背景技術】
【０００２】
従来、ＦＡＸ通信を行う通信装置には、電話回線が接続されていない場合、相手先の端末から電話信号やＦＡＸ信号を送受信することがないため、モデム等を使用しない状態にすることにより省電力にすることが求められている。
【０００３】
通信装置の一例では、電話回線が接続されたか否かを検出するために、電話回線が接続されていない状態においても、半導体を使用したＤＡＡ（半導体ＤＡＡ）が有する電圧監視部に電力が供給され、電圧監視部が作動している。ユーザによって電話回線が接続され、電圧監視部によって回線電圧が検出されると、省電力モードから通常モードへの復帰となり、モデム等の各部に電力が供給される。
【先行技術文献】
【特許文献】
【０００４】
【特許文献１】特開２００２−２６１９７６号公報
【発明の概要】
【発明が解決しようとする課題】
【０００５】
しかし、電圧監視部が常に作動されていると、その分の電力が消費されることになるため、更なる省電力の効果が求められていた。
【０００６】
そこで、本発明の目的は、電圧監視部を常に作動させておく必要をなくすことができ、これにより更なる省電力を図ることができる、通信装置を提供することである。
【課題を解決するための手段】
【０００７】
前記の目的を達成するため、本発明に係る通信装置は、電話回線と接続可能な２つの端子を有する回線接続端子と、回線接続端子の一方の端子と接続され、回線接続端子の他方の端子と接続され、電話回線を介して接続される交換機との間で第１の閉回路を構成可能であって、電話回線を介して信号の送受信を行う信号送受信部と、信号送受信部に電力を供給する電源部と、制御部と、一方の端子と信号送受信部との間に設けられる第１接点、及び、他方の端子と信号送受信部との間に設けられる第２接点に一対の接続線を介して接続され、回線接続端子に電話回線が接続されている際、交換機との間で第２の閉回路を構成し、閉回路の抵抗成分がハイインピーダンスとローインピーダンスとに切替可能に構成された抵抗切替閉回路と、一方の端子と抵抗切替閉回路との間に設けられた電流検出部と、を備え、制御部は、電源部が信号送受信部に電力供給しているときに、抵抗切替閉回路の抵抗成分をハイインピーダンスにし、電源部が信号送受信部に電力供給していないときに、抵抗切替閉回路の抵抗成分をローインピーダンスにし、電流検出部が電流を検出したことを検知した場合、電源部に対して信号送受信部への電力供給を指示する。
【０００８】
一般的に、信号送受信部は、回線接続端子の一方の端子及び他方の端子の２つの端子と接続されている。信号送受信部は、信号送受信部と電話回線を介して回線接続端子に接続される交換機との間で形成される経路を、開放、又は、閉結することができ、信号送受信部がその経路を閉結することによって、信号送受信部と交換機との間で第１の閉回路が形成される。すると、交換機と信号送受信部との間に形成された第１の閉回路に電流が流れ、交換機が流れた電流を検出し、交換機から各種信号を通信装置へ送ることによって、通信装置は、交換機を介して相手先の通信装置と信号の送受信を開始することができる。
【０００９】
上述の構成に加えて、本発明の構成では、抵抗成分をハイインピーダンスとローインピーダンスとに切り替えることができる抵抗切替閉回路が設けられている。抵抗切替閉回路は、回線接続端子の一方の端子と信号送受信部との間に第１接点、及び、回線接続端子の他方の端子と信号送受信部との間に第２接点に一対の接続線を介して接続され、回線接続端子に電話回線が接続されていると、交換機と抵抗切替閉回路との間に第２の閉回路が形成される。
【００１０】
電源部が信号送受信部に電力供給しているとき、すなわち、回線接続端子に電話回線が接続されているとき、抵抗切替閉回路の抵抗成分がハイインピーダンスに切り替えられている。これにより、回線接続端子に電話回線が接続されることによって、交換機と抵抗切替閉回路との間の第２の閉回路が形成されていたとしても、抵抗切替閉回路の抵抗成分がハイインピーダンスであるため、第２の閉回路には電流が流れない。
【００１１】
回線接続端子に電話回線が接続されていない場合、信号送受信部に電力供給する必要はないが、ユーザによって回線接続端子に電話回線が接続される場合がある。
【００１２】
信号送受信部に電力供給がされていない状態、すなわち、回線接続端子に電話回線が接続されていない状態において、回線接続端子に電話回線が接続されると、交換機と抵抗切替閉回路との間で第２の閉回路が作られる。
【００１３】
電源部が信号送受信部に電力供給していないときには、抵抗切替閉回路の抵抗成分がローインピーダンスに切り替えられている。これにより、回線接続端子に電話回線が接続されると、抵抗切替閉回路を介して回線接続端子の一方の端子と他方の端子との間を電流が流れ、回線接続端子の一方の端子と抵抗切替閉回路との間に設けられた電流検出部が電流を検知する。この電流を電流検出部が検出したことに応じて、制御部から電源部に対して信号送受信部への電力供給が指示される。
【００１４】
故に、従来のような信号送受信部が有する電話回線の回線電圧を監視する電圧監視部を作動しなくても、本発明の通信装置は、信号送受信部への電力供給を停止状態から、回線接続端子に電話回線が接続された段階で、信号送受信部へ電力供給が開始することができるため、更なる省電力を図ることができる。
【発明の効果】
【００１５】
本発明によれば、電圧監視部を常に作動させておく必要をなくすことができ、これにより更なる省電力を図ることができる。
【図面の簡単な説明】
【００１６】
【図１】本発明の一実施形態に係るＭＦＰの第１の電気的構成の要部を示すブロック図である。
【図２】抵抗切替閉回路の構成を示す回路図である。
【図３】ＭＦＰの電力消費状態の遷移の第１の形態を示す状態遷移図である。
【図４】第１の状態遷移処理の流れを示すフローチャートである。
【図５】ＭＦＰの電力消費状態の遷移の第２の形態を示す状態遷移図である。
【図６】第２の状態遷移処理の流れを示すフローチャートである。
【図７】第１待機処理の流れを示すフローチャートである。
【図８】第１スリープ処理の流れを示すフローチャートである。
【図９】第２待機処理の流れを示すフローチャートである。
【図１０】第２スリープ処理の流れを示すフローチャートである。
【図１１】ＭＦＰの第２の電気的構成の要部を示すブロック図である。
【図１２】電話回線接続検知処理の流れを示すフローチャートである。
【発明を実施するための形態】
【００１７】
以下では、本発明の実施の形態について、添付図面を参照しつつ詳細に説明する。
【００１８】
＜ＭＦＰの構成＞
図１に示されるＭＦＰ１（通信装置の一例）は、画像形成機能（プリンタ機能）、画像読取機能（スキャナ機能）及びＦＡＸ通信機能を有する複合機である。図１には、ＦＡＸ通信機能に特に関連する構成が示されている。ＭＦＰ１は、画像形成部１１（画像処理部の一例）、画像読取部１２（画像処理部の一例）、表示部１３、操作部１４、モデム部１５（信号送受信部の一例）、ＡＳＩＣ（Application Specific Integrated Circuit）１６及び低圧電源回路１７（電源部の一例）を備えている。
【００１９】
画像形成部１１は、画像をシートに形成する。画像形成の方式は、電子写真方式であってもよいし、インクジェット方式であってもよい。
【００２０】
画像読取部１２は、イメージセンサ及びＡＦＥ（Analog Front End）などを備えている。画像読取部１２では、イメージセンサにより原稿の画像が読み取られて、イメージセンサからアナログ画像信号が出力され、ＡＦＥによりそのアナログ画像信号がデジタル画像データに変換される。
【００２１】
表示部１３は、例えば、液晶表示ディスプレイからなる。表示部１３には、各種の情報が表示される。
【００２２】
操作部１４は、各種の指示を入力するために操作される操作ボタンを備えている。操作ボタンには、押操作によりオン及びオフが交互に切り替わる電源キー２１が含まれる。また、操作ボタンには、電源キー２１以外に、各種のジョブの実行を指示する際に押操作されるスタートキー、操作部１４からの入力内容を確定する際に押操作されるＯＫキー及び０，１〜９の数字を入力する際に押操作されるテンキー等が含まれる。
【００２３】
ＭＦＰ１には、モジュラジャック３１（回線接続端子の一例）が設けられている。モデム部１５は、モジュラジャック３１及びモジュラジャック３１に接続されるモジュラケーブル３２を介して、電話回線網３６上の交換機３３に接続される。具体的には、モジュラジャック３１は、第１端子３４及び第２端子３５の２つの端子を有している。モジュラジャック３１には、モジュラケーブル３２の一端を接続可能であり、モジュラケーブル３２の一端がモジュラジャック３１に接続されると、モジュラケーブル３２の一の局線が第１端子３４に接続され、他の３７が第２端子３５に接続される。モジュラケーブル３２の他端は、電話回線網３６を介して交換機３３に接続される。なお、電話回線網３６とモジュラケーブル３２とが電話回線の一例である。
【００２４】
モデム部１５は、ＤＡＡ（Direct Access Arrangement）４１、トランス４７、及びモデム４２を内蔵している。
【００２５】
ＤＡＡ４１は、電圧監視部４３及びデータ入出力部４４を備えている。電圧監視部４３は、一対の第１配線４５及び第２配線４６を介して、モジュラジャック３１の第１端子３４及び第２端子３５に接続されている。これにより、モジュラジャック３１にモジュラケーブル３２が接続されている状態において、ＤＡＡ４１がモジュラジャック３１にモジュラケーブル３２及び電話回線網３６を介して接続される交換機３３とモデム部１５との間を閉結することにより、交換機３３とＤＡＡ４１との間で第１の閉回路が構成される。交換機３３によって、モジュラケーブル３２の２本の芯線間に、４８Ｖ程度の電圧が印加されている。電圧監視部４３は、第１配線４５と第２配線４６との間の回線電圧を監視する。データ入出力部４４は、交換機３３へのデータ（回線信号）の送出及び交換機３３からのデータの入力（受信）などを制御する。
【００２６】
モデム４２は、デジタル信号を交換機３３に送出するアナログ信号に変調し、トランス４７を経てデータ入出力部４４にアナログ信号を入力し、交換機３３から受信されるアナログ信号をデータ入出力部４４からトランス４７を経て受け取り、そのアナログ信号をデジタル信号に復調する機能を有している。
【００２７】
ＡＳＩＣ１６（制御部の一例）は、ＣＰＵ５１を内蔵している。ＡＳＩＣ１６には、ＲＯＭ５２及びＲＡＭ５３（記憶部の一例）などのメモリが接続されている。ＡＳＩＣ１６には、画像読取部１２により取得された画像データ、操作部１４の操作内容を表す操作信号、モデム部１５により受信されたＦＡＸデータなどが入力される。ＣＰＵ５１は、ＡＳＩＣ１６に入力される信号などに基づいて、ＲＯＭ５２に記憶されているプログラムを実行することにより、画像形成部１１、画像読取部１２、表示部１３、操作部１４及びモデム部１５などの各部を制御する。ＣＰＵ５１による制御（プログラム）の実行時、ＲＡＭ５３がワークエリアとして使用される。ＲＡＭ５３には、ＮＶＲＡＭ（Non Volatile RAM）などの不揮発性メモリが含まれていてもよい。
【００２８】
低圧電源回路１７は、画像形成部１１、画像読取部１２、表示部１３、操作部１４、モデム部１５及びＡＳＩＣ１６などの各部に供給される動作電圧を発生させる電源である。低圧電源回路１７は、商用交流電源から電圧（例えば、１００ボルト）の供給を受け、その電圧を動作電圧用の所定電圧（例えば、２４ボルト）に変換する。画像形成部１１、画像読取部１２、表示部１３、操作部１４及びモデム部１５には、低圧電源回路１７からスイッチング回路１８を介して動作電圧が印加される。スイッチング回路１８は、ＡＳＩＣ１６のＣＰＵ５１によって制御され、この制御により、スイッチング回路１８から画像形成部１１、画像読取部１２、表示部１３、操作部１４及びモデム部１５の各部に動作電圧が個別に印加される。
【００２９】
また、ＭＦＰ１は、抵抗切替閉回路１９を備えている。抵抗切替閉回路１９は、ダイオードブリッジ６１を介して、第１配線４５及び第２配線４６に接続されている。具体的には、モジュラジャック３１とＤＡＡ４１（モデム部１５）との間の第１配線４５及び第２配線４６の途中部には、それぞれ第１接点６２及び第２接点６３が設けられている。第１接点６２及び第２接点６３には、それぞれ第３配線６４及び第４配線６５の一端が接続されている。第３配線６４及び第４配線６５の他端は、それぞれ全波整流のためのダイオードブリッジ６１の２つの入力端子に接続されている。ダイオードブリッジ６１の２つの出力端子には、それぞれ第１接続線６６及び第２接続線６７の一端が接続されている。第１接続線６６及び第２接続線６７の他端は、抵抗切替閉回路１９に接続されている。これにより、モジュラジャック３１にモジュラケーブル３２が接続されている状態において、交換機３３と抵抗切替閉回路１９との間で第２の閉回路が構成される。抵抗切替閉回路１９は、ＤＡＡ４１から入力される制御信号により、抵抗成分をハイインピーダンス（ＨｉＺ）とローインピーダンス（ＬｏＺ）とに切替可能に構成されている。
【００３０】
また、モジュラジャック３１の第１端子３４とＤＡＡ４１との間の第１配線４５には、フォトカプラ２０が介装されている。第１配線４５に電流が流れると、フォトカプラ２０の発光素子が発光する。フォトカプラ２０の受光素子の出力端子は、ＡＳＩＣ１６に接続されている。フォトカプラ２０の受光素子が発光素子からの光を受光すると、受光素子からＡＳＩＣ１６に検出信号が入力される。ＡＳＩＣ１６は、フォトカプラ２０からの検出信号の入力により、フォトカプラ２０が電流を検出したことを検知できる。また、ＡＳＩＣ１６は、省電力状態をとることができ、ＣＰＵ５１を含むＡＳＩＣ１６の一部のみで駆動することができる。そして、省電力状態のＡＳＩＣ１６において、電源キー２１がオンされたこと、及び、フォトカプラ２０が電流を検出したことを検知できる。省電力状態のＡＳＩＣ１６は、省電力状態からＡＳＩＣ１６の全体に供給される状態に切り替えることができる。
【００３１】
なお、ＭＦＰ１には、ＰＣ（Personal Computer）などの外部端末とのＬＡＮ（Local Area Network）を経由したネットワーク通信のための回路が備えられていてもよい。
【００３２】
＜抵抗切替閉回路＞
抵抗切替閉回路１９は、図２に示されるように、第１抵抗７１、第２抵抗７２、第１トランジスタ７３（第１スイッチング素子の一例）及び第２トランジスタ７４（第２スイッチング素子の一例）を備えている。
【００３３】
第１抵抗７１は、所定の第１抵抗値を有している。第１抵抗７１の一端は、第１接続線６６に接続されている。
【００３４】
第２抵抗７２は、第１抵抗値よりも高い第２抵抗値を有している。第２抵抗７２の一端は、第１接続線６６に接続されている。
【００３５】
第１トランジスタ７３は、ｎｐｎ型トランジスタである。第１トランジスタ７３のコレクタ端子（入力端子の一例）は、第１抵抗７１の他端に接続されている。第１トランジスタ７３のエミッタ端子（出力端子の一例）は、第２接続線６７に接続されている。第１トランジスタ７３のベース端子（制御端子の一例）は、第２抵抗７２の他端に接続されている。
【００３６】
第２トランジスタ７４は、ｐｎｐ型トランジスタである。第２トランジスタ７４のエミッタ端子（入力端子の一例）は、第２抵抗７２の他端に接続されている。第２トランジスタ７４のコレクタ端子（出力端子の一例）は、第２接続線６７に接続されている。第２トランジスタ７４のベース端子（制御端子）は、ＤＡＡ４１に接続されている。また、そのベース端子は、第３抵抗７５を介して、第２抵抗７２の他端及び第２トランジスタ７４のエミッタ端子と接続されている。
【００３７】
モジュラジャック３１にモジュラケーブル３２が接続されていない状態では、交換機３３と抵抗切替閉回路１９との間で閉回路（第２の閉回路）が構成されないので、抵抗切替閉回路１９に電流が流れない。また、モジュラジャック３１にモジュラケーブル３２が接続されていない状態では、第２トランジスタ７４がオフにされている。モジュラジャック３１にモジュラケーブル３２が接続されると、交換機３３と抵抗切替閉回路１９との間で閉回路が構成される。このとき、第２トランジスタ７４がオフにされているため、第１トランジスタ７３のベース−エミッタ端子間に電圧が発生し、第１トランジスタ７３がオンになる。その結果、第１接続線６６から第１抵抗７１及び第１トランジスタ７３を通して第２接続線６７へ電流が流れる。第１抵抗７１が第２抵抗７２の第２抵抗値よりも低い第１抵抗値を有しているので、抵抗切替閉回路１９の抵抗成分がローインピーダンスとなる。
【００３８】
この状態から第２トランジスタ７４がオンにされると、第１接続線６６から第２抵抗７２及び第２トランジスタ７４を通して第２接続線６７へ電流が流れる。その結果、第１トランジスタ７３のベース−エミッタ端子間の電圧が解消されて、第１トランジスタ７３がオフになり、第１抵抗７１及び第１トランジスタ７３を流れる電流が０（零）になる。第２抵抗７２が第１抵抗７１の第１抵抗値よりも高い第２抵抗値を有しているので、抵抗切替閉回路１９の抵抗成分がハイインピーダンスとなる。
【００３９】
＜状態遷移＞
ＭＦＰ１では、図３に示されるように、モデム部１５への電話回線網３６の接続の有無、画像形成部１１に対する画像形成（画像処理の一例）の実行命令の有無、画像読取部１２に対する画像読取（画像処理の一例）の実行命令の有無、操作部１４の電源キー２１のオン等に応じて、電力消費状態が遷移する。
【００４０】
待機状態では、低圧電源回路１７から画像形成部１１、画像読取部１２、表示部１３、操作部１４、モデム部１５及びＡＳＩＣ１６に動作電力が供給される。
【００４１】
待機状態は、操作部１４のキー操作による画像形成又は画像読取の実行命令待ち、モデム部１５による画像形成に係るデータの受信待ちの状態である。画像形成部１１に動作電力が供給されているので、画像形成の実行命令又は画像形成に係るデータの受信があると、待機状態から画像形成部１１による画像形成の実行状態に速やかに移行する。また、画像読取部１２に動作電力が供給されているので、画像読取部１２による画像読取の実行命令があると、待機状態から画像読取部１２による画像読取の実行状態に直ちに移行する。画像形成又は画像読取の実行終了後は、電力消費状態が待機状態となる。
【００４２】
なお、以下では、低圧電源回路１７から画像形成部１１、画像読取部１２、表示部１３、操作部１４、モデム部１５及びＡＳＩＣ１６等の各部に動作電力が供給されている状態を「オン」と表現し、各部への動作電力の供給が停止されている状態を「オフ」と表現する。
【００４３】
待機状態において、画像形成若しくは画像読取の実行命令又は画像形成に係るデータの受信がなく、所定時間Ｔ１が経過すると、電力消費状態が待機状態からスリープ状態に移行する。スリープ状態では、画像形成部１１、画像読取部１２及び表示部１３がオフにされ、操作部１４、モデム部１５及びＡＳＩＣ１６がオンにされる。したがって、スリープ状態は、待機状態よりも消費電力が低い。スリープ状態において、画像形成若しくは画像読取の実行命令又は画像形成に係るデータの受信があると、電力消費状態がスリープ状態から待機状態に戻り、画像形成部１１、画像読取部１２及び表示部１３がオンされる。そして、待機状態から画像形成又は画像読取の実行状態に移行する。
【００４４】
スリープ状態において、画像形成若しくは画像読取の実行命令又は画像形成に係るデータの受信がなく、所定時間Ｔ２が経過し、その時点で、ＤＡＡ４１の電圧監視部４３により監視されている回線電圧を取得する。
ＤＡＡ４１の電圧監視部４３により監視されている回線電圧が０である場合、電力消費状態がスリープ状態からオフモード状態に移行する。オフモード状態では、操作部１４の電源キー２１及び省電力状態のＡＳＩＣ１６を除いて、画像形成部１１、画像読取部１２、表示部１３、操作部１４、モデム部１５及びＡＳＩＣ１６がオフにされる。電圧監視部４３が監視している回線電圧が０である場合、すなわち、電話回線網３６がモジュラケーブル３２を介してモジュラジャック３１に接続されていない。故に、モジュラケーブル３２がモジュラジャック３１に接続されていないのであれば、モデム部１５に電力を供給する必要性がない。故に、電圧監視部４３が監視している回線電圧が０である場合、スリープ状態から更に、モデム部１５への電力供給がオフされたオフモード状態へ移行する。したがって、オフモード状態は、スリープ状態よりも消費電力が更に低く、消費電力が最も低い状態である。
【００４５】
オフモード状態において、電源キー２１がオンにされると、電力消費状態がオフモード状態から待機状態に移行する。また、フォトカプラ２０が電流を検出したことが省電力状態のＡＳＩＣ１６により検知されると、電力消費状態がオフモード状態から待機状態に移行する。
【００４６】
＜状態遷移処理＞
ＡＳＩＣ１６のＣＰＵ５１は、ＭＦＰ１の電力消費状態を遷移させるため、図４に示される状態遷移処理を実行する。
【００４７】
状態遷移処理において、ＡＳＩＣ１６のＣＰＵ５１は、起動処理を実行する（Ｓ１１）。起動処理では、ＣＰＵ５１は、スイッチング回路１８に対して画像形成部１１、画像読取部１２、表示部１３、操作部１４及びモデム部１５の全部をオンにする指示を出力する。これにより、ＭＦＰ１の電力消費状態は、画像形成部１１、画像読取部１２、表示部１３、操作部１４、モデム部１５及びＡＳＩＣ１６の全てがオンにされた待機状態となる。
【００４８】
また、ＣＰＵ５１は、ＤＡＡ４１に対して抵抗切替閉回路１９の抵抗成分をハイインピーダンスに切り替える指示を出力する（Ｓ１２）。具体的には、ＤＡＡ４１に対してＤＡＡ４１から抵抗切替閉回路１９の第２トランジスタ７４のベース端子にローレベル信号（負電圧）を供給する指示を出力する。
【００４９】
その後、ＣＰＵ５１は、所定時間Ｔ１の計測を開始する（Ｓ１３）。
【００５０】
所定時間Ｔ１の計測中、ＣＰＵ５１は、操作部１４のキー操作による画像形成又は画像読取の実行命令の入力、及び、モデム部１５による画像形成に係る信号（データ）の受信の有無を判断する（Ｓ１４）。
【００５１】
なお、以下では、操作部１４のキー操作による画像形成又は画像読取の実行命令の入力を、単に「実行命令」といい、モデム部１５によるデータの受信を、単に「データ受信」という。
【００５２】
所定時間Ｔ１の計測中に実行命令又はデータ受信があった場合には（Ｓ１４：ＹＥＳ）、ＣＰＵ５１は、所定時間Ｔ１の計測を終了し、実行処理を実行する（Ｓ１５）。実行処理では、ＣＰＵ５１は、実行命令又はデータ受信に応じて、画像形成部１１又は画像読取部１２を制御して、画像形成又は画像読取を実行する。なお、操作部１４のキー操作によりコピーの実行が指示された場合には、画像読取部１２による画像読取の実行に続き、画像形成部１１による画像形成が実行される。
【００５３】
画像形成又は画像読取の実行後、ＣＰＵ５１は、所定時間Ｔ１の計測をリセットし、所定時間Ｔ１の計測を新たに開始する（Ｓ１６）。
【００５４】
所定時間Ｔ１の計測中に実行命令が入力又はデータ受信がなく（Ｓ１４：ＮＯ）、所定時間Ｔ１の計測が完了すると（Ｓ１７：ＹＥＳ）、ＣＰＵ５１は、スリープ移行処理を実行する（Ｓ１８）。スリープ移行処理では、ＣＰＵ５１は、スイッチング回路１８に対して画像形成部１１、画像読取部１２及び表示部１３をオフにする指示を出力する。これにより、ＭＦＰ１の電力消費状態は、画像形成部１１、画像読取部１２及び表示部１３がオフにされ、操作部１４、モデム部１５及びＡＳＩＣ１６がオンにされたスリープ状態となる。
【００５５】
スリープ状態の開始とともに、ＣＰＵ５１は、所定時間Ｔ２の計測を開始する（Ｓ１９）。
【００５６】
スリープ状態の開始から所定時間Ｔ２が経過する前に、実行命令又はデータ受信があった場合（Ｓ２０：ＹＥＳ）、ＣＰＵ５１は、起動処理を実行する（Ｓ１１）。その結果、ＭＦＰ１の電力消費状態は、スリープ状態から待機状態に移行する。
【００５７】
実行命令及びデータ受信がなく（Ｓ２０：ＮＯ）、スリープ状態の開始から所定時間Ｔ２が経過すると（Ｓ２１：ＹＥＳ）、ＣＰＵ５１は、ＤＡＡ４１の電圧監視部４３により監視されている回線電圧を取得する（Ｓ２２）。
【００５８】
そして、ＣＰＵ５１は、回線電圧の有無を判断する（Ｓ２３）。ＣＰＵ５１は、たとえば、回線電圧が１ボルト未満である場合、回線電圧なしと判断し、回線電圧値が１ボルト以上である場合、回線電圧ありと判断する。
【００５９】
回線電圧ありの場合（Ｓ２３：ＹＥＳ）、つまり電話回線網３６がモジュラケーブル３２を介してモジュラジャック３１に接続されている場合、ＣＰＵ５１は、所定時間Ｔ２の計測を新たに開始する（Ｓ１９）。これにより、ＭＦＰ１の電力消費状態は、スリープ状態に維持される。
【００６０】
一方、回線電圧なしの場合（Ｓ２３：ＮＯ）、つまり電話回線網３６がモジュラケーブル３２を介してモジュラジャック３１に接続されていない場合、ＣＰＵ５１は、スイッチング回路１８に対してモデム部１５をオフにする指示を出力する（Ｓ２４）。
【００６１】
また、ＣＰＵ５１は、ＤＡＡ４１に対して抵抗切替閉回路１９の抵抗成分をローインピーダンスに切り替える指示を出力する（Ｓ２５）。具体的には、ＤＡＡ４１に対してＤＡＡ４１から抵抗切替閉回路１９の第２トランジスタ７４のベース端子にハイレベル信号（０ボルト）を供給する指示を出力する。
【００６２】
その後、ＣＰＵ５１は、スイッチング回路１８に対して省電力状態のＡＳＩＣ１６とし、操作部１４の電源キー２１以外をオフにする指示を出力する（Ｓ２６）。
【００６３】
その結果、ＭＦＰ１の電力消費状態は、操作部１４の電源キー２１及び省電力状態のＡＳＩＣ１６以外、画像形成部１１、画像読取部１２、表示部１３、操作部１４、モデム部１５及びＡＳＩＣ１６がオフにされたオフモード状態となる。
【００６４】
オフモード状態において、電源キー２１がオンにされるか（Ｓ２７：ＹＥＳ）、又は、フォトカプラ２０が電流を検出したことが省電力状態のＡＳＩＣ１６により検知されると（Ｓ２８：ＹＥＳ）、低圧電源回路１７からＡＳＩＣ１６の全体に動作電力が供給される（Ｓ２９：ＡＳＩＣオン）。ＡＳＩＣ１６の全体に動作電力が供給されると、ＣＰＵ５１は、起動処理を実行する（Ｓ１１）。その結果、ＭＦＰ１の電力消費状態は、スリープ状態から待機状態に移行する。
【００６５】
＜作用効果＞
以上のように、モデム部１５は、モジュラジャック３１の第１端子３４及び第２端子３５の２つの端子と接続されている。モジュラジャック３１には、モジュラケーブル３２の一端が接続され、モジュラケーブル３２の他端は、電話回線網３６を介して交換機３３に接続される。モジュラジャック３１がモジュラケーブル３２及び電話回線網３６を介して交換機３３と接続された状態において、モデム部１５（ＤＡＡ４１）がモデム部１５と交換機３３との間に形成される経路を閉結することにより、モデム部１５と交換機３３との間で第１の閉回路が構成される。第１の閉回路が構成されると、第１の閉回路に電流が流れる。その電流を交換機３３が検出し、交換機３３から各種信号がＭＦＰ１へ送信されることによって、ＭＦＰ１は、交換機３３を介して相手先のＭＦＰ１と信号の送受信を開始することができる。
【００６６】
ＭＦＰ１には、抵抗成分をハイインピーダンスとローインピーダンスとに切り替えることができる抵抗切替閉回路１９が設けられている。抵抗切替閉回路１９は、モジュラジャック３１の第１端子３４とモデム部１５との間の第１接点６２に第１接続線６６を介して接続され、モジュラジャック３１の第２端子３５とモデム部１５との間の第２接点６３に第２接続線６７を介して接続されている。モジュラジャック３１にモジュラケーブル３２を介して電話回線網３６が接続されていると、交換機３３と抵抗切替閉回路１９との間に第２の閉回路が構成される。
【００６７】
モデム部１５がオンにされているとき、すなわち、モジュラジャック３１に電話回線網３６が接続されているとき、抵抗切替閉回路１９の抵抗成分がハイインピーダンスに切り替えられている。これにより、モジュラジャック３１にモジュラケーブル３２を介して電話回線網３６が接続されることによって、交換機３３と抵抗切替閉回路１９との間の第２の閉回路が形成されていたとしても、抵抗切替閉回路１９の抵抗成分がハイインピーダンスであるため、第２の閉回路には電流が流れない。
【００６８】
モジュラジャック３１にモジュラケーブル３２を介して電話回線網３６が接続されていない場合、モデム部１５がオフにされる。これにより、使用されないモデム部１５による電力消費を抑えることができる。
【００６９】
モデム部１５がオフにされるオフモードにおいて、モジュラジャック３１にモジュラケーブル３２を介して電話回線網３６が接続されると、交換機３３と抵抗切替閉回路１９との間で第２の閉回路が構成される。モデム部１５がオフにされているときには、抵抗切替閉回路１９の抵抗成分がローインピーダンスに切り替えられている。これにより、モジュラジャック３１にモジュラケーブル３２を介して電話回線網３６が接続されると、抵抗切替閉回路１９を介してモジュラジャック３１の第１端子３４と第２端子３５との間を電流が流れ、モジュラジャック３１の第１端子３４と抵抗切替閉回路１９との間に設けられたフォトカプラ２０が電流を検出する。この電流をフォトカプラ２０が検出したことに応じて、ＡＳＩＣ１６のＣＰＵ５１からスイッチング回路１８に対してモデム部１５をオンにする指示が出力される。
【００７０】
故に、従来の構成とは異なり、モジュラジャック３１にモジュラケーブル３２を介して電話回線網３６が接続されていないときに、モデム部１５（ＤＡＡ４１）の電圧監視部４３を動作させていなくても、ＭＦＰ１では、モジュラジャック３１に電話回線網３６が接続されたことに応じて、モデム部１５をオンさせることができる。よって、更なる省電力を図ることができる。
【００７１】
また、モデム部１５がオフにされるオフモードにおいて、モジュラジャック３１にモジュラケーブル３２を介して電話回線網３６が接続された場合に加えて、操作部１４の電源キー２１がオンされた場合にも、電力消費状態がオフモード状態から待機状態に移行され、モデム部１５がオンにされる。これにより、ユーザが操作部１４の電源キー２１をオンすることによっても、モデム部１５が使用可能となり、モジュラジャック３１にモジュラケーブル３２を介して電話回線網３６が接続されていれば、モデム部１５を使用したＦＡＸ通信が可能となる。
【００７２】
なお、モデム部１５がオンにされている状態で、抵抗切替閉回路１９の抵抗成分がローインピーダンスであると、交換機３３がモデム部１５との間の閉結を判断することによって、ＭＦＰ１がＦＡＸ通信を行う必要がないにもかかわらず、交換機３３がＭＦＰ１へ各種信号を送信してしまう。これを防ぐために、モデム部１５がオンにされている状態では、抵抗切替閉回路１９の抵抗成分がハイインピーダンスに設定される。
【００７３】
抵抗切替閉回路１９は、第１接続線６６と第２接続線６７との間において、第１抵抗７１及び第１トランジスタ７３の直列回路と第２抵抗７２及び第２トランジスタ７４の直列回路とを並列に設けた簡素な構成であり、安価に得ることができる。
【００７４】
＜状態遷移２＞
ＭＦＰ１では、電力消費状態の遷移の態様として、図３に示される態様以外に、図５に示される態様が採用されてもよい。
【００７５】
図５に示される態様では、電源オフの状態から電源スイッチがオンされると、ＭＦＰ１の電力消費状態が第１待機状態（第１通常モードの一例）となる。第１待機状態では、画像形成部１１、画像読取部１２、表示部１３、操作部１４、モデム部１５及びＡＳＩＣ１６がオンにされる。
【００７６】
第１待機状態は、操作部１４のキー操作による画像形成又は画像読取の実行命令待ち、モデム部１５による画像形成に係るデータの受信待ちの状態である。画像形成部１１に動作電力が供給されているので、画像形成の実行命令又は画像形成に係るデータの受信があると、第１待機状態から画像形成部１１による画像形成の実行状態に直ちに移行する。また、画像読取部１２に動作電力が供給されているので、画像読取部１２による画像読取の実行命令があると、第１待機状態から画像読取部１２による画像読取の実行状態に速やかに移行する。画像形成又は画像読取の実行終了後は、電力消費状態が第１待機状態となる。
【００７７】
第１待機状態において、画像形成若しくは画像読取の実行命令又は画像形成に係るデータの受信がなく、所定時間Ｔ１が経過すると、電力消費状態が第１待機状態から第１スリープ状態に移行する。第１スリープ状態では、画像形成部１１、画像読取部１２及び表示部１３がオフにされ、操作部１４及びモデム部１５がオンにされる。したがって、第１スリープ状態は、第１待機状態よりも消費電力が低い。第１スリープ状態において、画像形成若しくは画像読取の実行命令又は画像形成に係るデータの受信があると、電力消費状態が第１スリープ状態から第１待機状態に戻り、画像形成部１１、画像読取部１２及び表示部１３がオンされる。そして、第１待機状態から画像形成又は画像読取の実行状態に移行する。
【００７８】
第１スリープ状態において、画像形成若しくは画像読取の実行命令又は画像形成に係るデータの受信がなく、所定時間Ｔ２が経過し、その時点でモデム部１５が電話回線と接続されておらず（電話回線網３６がモジュラケーブル３２を介してモジュラジャック３１に接続されておらず）、ＤＡＡ４１の電圧監視部４３により監視されている回線電圧が０である場合、電力消費状態が第１スリープ状態からオフモード状態に移行する。オフモード状態では、操作部１４の電源キー２１及び省電力状態のＡＳＩＣ１６を除いて、画像形成部１１、画像読取部１２、表示部１３、操作部１４、モデム部１５及びＡＳＩＣ１６がオフにされる。したがって、オフモード状態は、第１スリープ状態よりも消費電力が更に低く、消費電力が最も低い状態である。
【００７９】
オフモード状態において、モジュラジャック３１にモジュラケーブル３２が接続されて、交換機３３と抵抗切替閉回路１９との間で閉回路（第２の閉回路）が構成され、フォトカプラ２０が電流を検出したことが省電力状態のＡＳＩＣ１６により検知されると、電力消費状態がオフモード状態から第１待機状態に移行する。
【００８０】
なお、以下では、フォトカプラ２０が電流を検出したことがＡＳＩＣ１６により検知されることを、単に「電流検知」という。
【００８１】
また、オフモード状態において、電源キー２１がオンにされると、電力消費状態がオフモード状態から第２待機状態（第２通常モードの一例）に移行する。第２待機状態では、モデム部１５がオフにされ、画像形成部１１、画像読取部１２、表示部１３、操作部１４及びＡＳＩＣ１６がオンにされる。したがって、第２待機状態は、モデム部１５による消費電力分、第１待機状態よりも消費電力が低い。画像形成部１１及び画像読取部１２に動作電力が供給されているので、画像形成若しくは画像読取の実行命令があると、第２待機状態から画像形成部１１による画像形成又は画像読取部１２による画像読取の実行状態に速やかに移行する。画像形成又は画像読取の実行終了後は、電力消費状態が第２待機状態となる。
【００８２】
第２待機状態において、画像形成若しくは画像読取の実行命令がなく、所定時間Ｔ１が経過すると、電力消費状態が第２待機状態から第２スリープ状態に移行する。第２スリープ状態では、画像形成部１１、画像読取部１２、表示部１３及びモデム部１５がオフにされ、操作部１４及びＡＳＩＣ１６がオンにされる。したがって、第２スリープ状態は、第２待機状態よりも消費電力が低く、モデム部１５による消費電力分、第１スリープ状態よりも消費電力が低い。第２スリープ状態において、画像形成若しくは画像読取の実行命令があると、電力消費状態が第２スリープ状態から第２待機状態に戻り、画像形成部１１、画像読取部１２及び表示部１３がオンされる。そして、第２待機状態から画像形成又は画像読取の実行状態に移行する。
【００８３】
第２スリープ状態において、モジュラジャック３１にモジュラケーブル３２が接続されて、交換機３３と抵抗切替閉回路１９との間で閉回路（第２の閉回路）が構成され、フォトカプラ２０が電流を検出したことが省電力状態のＡＳＩＣ１６により検知されると、モデム部１５がオンにされる。これにより、電力消費状態が第２スリープ状態から第１スリープ状態に移行する。
【００８４】
＜状態遷移処理２＞
電源オフの状態から電源スイッチがオン（Power ON）されると、商用交流電源から低圧電源回路１７に電圧が供給され、低圧電源回路１７からＡＳＩＣ１６の全体に動作電力が供給される。図５に示される態様が採用される場合、ＡＳＩＣ１６の全体に動作電力が供給されると、ＡＳＩＣ１６のＣＰＵ５１は、ＭＦＰ１の電力消費状態を遷移させるため、図６に示される状態遷移処理を実行する。
【００８５】
状態遷移処理において、ＲＡＭ５３に設定されているフラグの状態がオンでない場合（Ｓ３１：ＮＯ）、つまりフラグの状態がオフである場合、ＣＰＵ５１は、第１待機処理を実行する（Ｓ３２）。電源オフによりＲＡＭ５３がクリアされるので、電源オフの状態から電源スイッチがオンされた直後は、フラグの状態がオフである。
【００８６】
＊第１待機処理
第１待機処理では、図７に示されるように、ＣＰＵ５１は、スイッチング回路１８に対して画像形成部１１、画像読取部１２、表示部１３、操作部１４及びモデム部１５の全部をオンにする指示を出力する（Ｓ３２１）。これにより、ＭＦＰ１の電力消費状態は、画像形成部１１、画像読取部１２、表示部１３、操作部１４、モデム部１５及びＡＳＩＣ１６の全てがオンにされた第１待機状態となる。
【００８７】
また、ＣＰＵ５１は、ＤＡＡ４１に対して抵抗切替閉回路１９の抵抗成分をハイインピーダンスに切り替える指示を出力する（Ｓ３２２）。具体的には、ＤＡＡ４１に対してＤＡＡ４１から抵抗切替閉回路１９の第２トランジスタ７４のベース端子にローレベル信号（負電圧）を供給する指示を出力する。
【００８８】
その後、ＣＰＵ５１は、所定時間Ｔ１の計測を開始する（Ｓ３２３）。
【００８９】
所定時間Ｔ１の計測中に実行命令又はデータ受信があった場合には（Ｓ３２４：ＹＥＳ）、ＣＰＵ５１は、所定時間Ｔ１の計測を終了し、実行処理を実行する（Ｓ３２５）。実行処理では、ＣＰＵ５１は、実行命令又はデータ受信に応じて、画像形成部１１又は画像読取部１２を制御して、画像形成又は画像読取を実行する。なお、操作部１４のキー操作によりコピーの実行が指示された場合には、画像読取部１２による画像読取の実行に続き、画像形成部１１による画像形成が実行される。
【００９０】
画像形成又は画像読取の実行後、ＣＰＵ５１は、所定時間Ｔ１の計測をリセットし、所定時間Ｔ１の計測を新たに開始する（Ｓ３２６）。
【００９１】
所定時間Ｔ１の計測中に実行命令又はデータ受信がなく（Ｓ１４：ＮＯ）、所定時間Ｔ１の計測が完了すると（Ｓ３２７：ＹＥＳ）、ＣＰＵ５１は、第１待機処理を終了する。
【００９２】
＊第１スリープ処理
図６に示されるように、第１待機処理の終了後、ＣＰＵ５１は、第１スリープ処理を実行する（Ｓ３３）。
【００９３】
第１スリープ処理では、図８に示されるように、ＣＰＵ５１は、スイッチング回路１８に対して画像形成部１１、画像読取部１２及び表示部１３をオフにする指示を出力する（Ｓ３３１）。これにより、ＭＦＰ１の電力消費状態は、画像形成部１１、画像読取部１２及び表示部１３がオフにされ、操作部１４、モデム部１５及びＡＳＩＣ１６がオンにされた第１スリープ状態となる。
【００９４】
また、ＣＰＵ５１は、ＤＡＡ４１に対して抵抗切替閉回路１９の抵抗成分をハイインピーダンスに切り替える指示を出力する（Ｓ３３２）。具体的には、ＤＡＡ４１に対してＤＡＡ４１から抵抗切替閉回路１９の第２トランジスタ７４のベース端子にローレベル信号（負電圧）を供給する指示を出力する。
【００９５】
その後、ＣＰＵ５１は、所定時間Ｔ２の計測を開始する（Ｓ３３３）。
【００９６】
所定時間Ｔ２の計測中に実行命令又はデータ受信があった場合には（Ｓ３３４：ＹＥＳ）、ＣＰＵ５１は、所定時間Ｔ２の計測を終了し、図６のステップＳ３２に戻り、第１待機処理を実行する。そのため、ＭＦＰ１の電力消費状態は、第１スリープ状態から第１待機状態に移行する。そして、第１待機処理において、ＣＰＵ５１は、実行命令又はデータ受信に応じて（Ｓ３２４：ＹＥＳ）、実行処理を実行する（Ｓ３２５）。
【００９７】
所定時間Ｔ２の計測中に実行命令が入力又はデータ受信がなく（Ｓ３３４：ＮＯ）、所定時間Ｔ２の計測が完了すると（Ｓ３３５：ＹＥＳ）、ＣＰＵ５１は、第１スリープ処理を終了する。
【００９８】
＊状態移行判断
第１スリープ処理の終了後、ＣＰＵ５１は、図６に示されるように、ＤＡＡ４１の電圧監視部４３により監視されている回線電圧を取得する（Ｓ３４）。
【００９９】
そして、ＣＰＵ５１は、回線電圧の有無を判断する（Ｓ３５）。ＣＰＵ５１は、たとえば、回線電圧が１ボルト未満である場合、回線電圧なしと判断し、回線電圧値が１ボルト以上である場合、回線電圧ありと判断する。
【０１００】
回線電圧ありの場合（Ｓ３５：ＹＥＳ）、ＣＰＵ５１は、第１スリープ処理を実行する（Ｓ３３）。これにより、ＭＦＰ１の電力消費状態は、スリープ状態に維持される。
【０１０１】
＊オフモード処理
一方、回線電圧なしの場合（Ｓ３５：ＮＯ）、ＣＰＵ５１は、スイッチング回路１８に対してモデム部１５をオフにする指示を出力する（Ｓ３６）。
【０１０２】
また、ＣＰＵ５１は、ＤＡＡ４１に対して抵抗切替閉回路１９の抵抗成分をローインピーダンスに切り替える指示を出力する（Ｓ３７）。具体的には、ＤＡＡ４１に対してＤＡＡ４１から抵抗切替閉回路１９の第２トランジスタ７４のベース端子にハイレベル信号（０ボルト）を供給する指示を出力する。
【０１０３】
その後、ＣＰＵ５１は、スイッチング回路１８に対してＡＳＩＣ１６を省電力状態とし、操作部１４の電源キー２１以外をオフにする指示を出力する（Ｓ３８）。
【０１０４】
その結果、ＭＦＰ１の電力消費状態は、操作部１４の電源キー２１及び省電力状態のＡＳＩＣ１６以外、画像形成部１１、画像読取部１２、表示部１３、操作部１４、モデム部１５及びＡＳＩＣ１６がオフにされたオフモード状態となる。
【０１０５】
＊復帰処理
オフモード状態において、電源キー２１がオンにされるか（Ｓ３９：ＹＥＳ）、又は、電流検知があると（Ｓ４０：ＹＥＳ）、低圧電源回路１７からＡＳＩＣ１６の全体に動作電力が供給される（Ｓ４１，Ｓ４２：ＡＳＩＣオン）。
【０１０６】
電流検知があり（Ｓ４０：ＹＥＳ）、ＡＳＩＣ１６の全体に動作電力が供給された場合（Ｓ４２）、ＣＰＵ５１は、ＲＡＭ５３に設定されているフラグの状態を保持し、フラグの状態がオフであれば（Ｓ３１：ＮＯ）、第１待機処理を実行する。その結果、ＭＦＰ１の電力消費状態は、オフモード状態から第１待機状態に移行する。
【０１０７】
電源キー２１がオンにされて（Ｓ３９：ＹＥＳ）、ＡＳＩＣ１６の全体に動作電力が供給された場合（Ｓ４１）、ＣＰＵ５１は、ＲＡＭ５３に設定されているフラグをオンにした後（Ｓ４３）、第２待機処理を実行する（Ｓ４４）。
【０１０８】
＊第２待機処理
第２待機処理では、ＣＰＵ５１は、図９に示されるように、スイッチング回路１８に対してモデム部１５以外の画像形成部１１、画像読取部１２、表示部１３及び操作部１４をオンにする指示を出力する（Ｓ４４１）。これにより、ＭＦＰ１の電力消費状態は、モデム部１５がオフにされ、画像形成部１１、画像読取部１２、表示部１３、操作部１４及びＡＳＩＣ１６がオンにされた第２待機状態となる。
【０１０９】
また、ＣＰＵ５１は、ＤＡＡ４１に対して抵抗切替閉回路１９の抵抗成分をローインピーダンスに切り替える指示を出力する（Ｓ４４２）。具体的には、ＤＡＡ４１に対してＤＡＡ４１から抵抗切替閉回路１９の第２トランジスタ７４のベース端子にハイレベル信号（０ボルト）を供給する指示を出力する。
【０１１０】
その後、ＣＰＵ５１は、所定時間Ｔ１の計測を開始する（Ｓ４４３）。
【０１１１】
所定時間Ｔ１の計測中に、実行命令があった場合（Ｓ４４４：ＹＥＳ）、ＣＰＵ５１は、所定時間Ｔ１の計測を終了し、実行処理を実行する（Ｓ４４５）。実行処理では、ＣＰＵ５１は、実行命令に応じて、画像形成部１１又は画像読取部１２を制御して、画像形成又は画像読取を実行する。
【０１１２】
画像形成又は画像読取の実行後、ＣＰＵ５１は、所定時間Ｔ１の計測をリセットし、所定時間Ｔ１の計測を新たに開始する（Ｓ４４６）。
【０１１３】
また、所定時間Ｔ１の計測中に、電流検知があった場合（Ｓ４４７：ＹＥＳ）、ＣＰＵ５１は、ＲＡＭ５３に設定されているフラグをオンにした後（Ｓ４４８）、第２待機処理を終了する。
【０１１４】
一方、実行命令又は電流検知がなく（Ｓ４４７：ＮＯ）、所定時間Ｔ１の計測が完了すると（Ｓ４４９：ＹＥＳ）、ＣＰＵ５１は、第２待機処理を終了する。
【０１１５】
＊状態移行判断
第２待機処理の終了後、ＣＰＵ５１は、ＲＡＭ５３に設定されているフラグの状態を調べる。フラグの状態がオンである場合（Ｓ４５：ＮＯ）、ＣＰＵ５１は、第１待機処理を実行する（Ｓ３２）。その結果、ＭＦＰ１の電力消費状態は、第２待機状態から第１待機状態に移行する。
【０１１６】
一方、フラグの状態がオフである場合（Ｓ４５：ＹＥＳ）、ＣＰＵ５１は、第２スリープ処理を実行する（Ｓ４６）。
【０１１７】
＊第２スリープ処理
第２スリープ処理では、図１０に示されるように、ＣＰＵ５１は、スイッチング回路１８に対して画像形成部１１、画像読取部１２及び表示部１３をオフにする指示を出力する（Ｓ４６１）。これにより、ＭＦＰ１の電力消費状態は、画像形成部１１、画像読取部１２、表示部１３及びモデム部１５がオフにされ、操作部１４及びＡＳＩＣ１６がオンにされた第２スリープ状態となる。
【０１１８】
また、ＣＰＵ５１は、ＤＡＡ４１に対して抵抗切替閉回路１９の抵抗成分をローインピーダンスに切り替える指示を出力する（Ｓ４６２）。
【０１１９】
第２スリープ状態において、実行命令があった場合には（Ｓ４６３：ＹＥＳ）、ＣＰＵ５１は、図６のステップＳ４４に戻り、第２待機処理を実行する。そのため、ＭＦＰ１の電力消費状態は、第２スリープ状態から第２待機状態に移行する。そして、第２待機処理において、ＣＰＵ５１は、実行命令に応じて（Ｓ４４４：ＹＥＳ）、実行処理を実行する（Ｓ４４５）。
【０１２０】
また、第２スリープ状態において、電流検出があった場合には（Ｓ４６４：ＹＥＳ）、ＣＰＵ５１は、ＲＡＭ５３に設定されているフラグをオフにした後（Ｓ４６５）、第２スリープ処理を終了する。
【０１２１】
第２スリープ処理の終了後、ＣＰＵ５１は、第１スリープ処理を実行する（Ｓ３３）。その結果、ＭＦＰ１の電力消費状態は、第２スリープ状態から第１スリープ状態に移行する。
【０１２２】
＜作用効果＞
以上のように、電力消費状態の遷移の態様として、図５に示される態様が採用された場合、オフモード状態において、電流検知があると、電力消費状態がオフモード状態から第１待機状態に移行する。第１待機状態では、画像形成部１１、画像読取部１２、表示部１３、操作部１４、モデム部１５及びＡＳＩＣ１６がオンにされているので、画像形成若しくは画像読取の実行命令又は画像形成に係るデータの受信に応じて、画像形成又は画像読取を速やかに開始することができる。
【０１２３】
また、オフモード状態において、電源キー２１がオンにされると、電力消費状態がオフモード状態から第２待機状態に移行する。第２待機状態では、モデム部１５がオフにされ、画像形成部１１、画像読取部１２、表示部１３、操作部１４及びＡＳＩＣ１６がオンにされる。したがって、第２待機状態では、モデム部１５による消費電力分、第１待機状態よりも消費電力を低く抑えることができる。
【０１２４】
モデム部１５がオンにされている第１待機状態では、抵抗切替閉回路１９の抵抗成分がハイインピーダンスに切り替えられている。これにより、モジュラジャック３１にモジュラケーブル３２を介して電話回線網３６が接続されることによって、交換機３３と抵抗切替閉回路１９との間の第２の閉回路が形成されていたとしても、抵抗切替閉回路１９の抵抗成分がハイインピーダンスであるため、第２の閉回路には電流が流れない。そのため、交換機３３が抵抗切替閉回路１９との接続をモデム部１５との閉結と誤判断することを抑制できる。
【０１２５】
第２待機状態において、画像形成若しくは画像読取の実行命令がなく、所定時間Ｔ１が経過すると、電力消費状態が第２待機状態から第２スリープ状態に移行される。第２スリープ状態では、第２待機状態から画像形成部１１、画像読取部１２及び表示部１３がオフにされる。したがって、電力消費状態が第２待機状態から第２スリープ状態に移行されることにより、消費電力を一層低く抑えることができる。
【０１２６】
＜ＭＦＰの他の構成＞
ＭＦＰ１は、図１に示される構成に代えて、図１１に示される構成を有していてもよい。
【０１２７】
なお、図１１において、図１に示される各部に相当する部分には、それらの各部と同一の参照符号が付されている。また、以下では、その同一の参照符号が付された部分の説明を省略する。
【０１２８】
図１１に示される構成では、図１に示されるＤＡＡ４１に代えて、回線閉結用リレー８１が設けられている。モジュラジャック３１がモジュラケーブル３２及び電話回線網３６を介して交換機３３と接続された状態において、ＡＳＩＣ１６のＣＰＵ５１は、回線閉結用リレー８１のコイル８２の通電を制御することにより、交換機３３とモデム４２との間に形成される経路を閉結又は開放することができる。
【０１２９】
図１１に示される構成が採用される場合、電話回線網３６がモジュラケーブル３２を介してモジュラジャック３１に接続されているか否かを判断するために、図４のステップＳ２２，Ｓ２３の処理及び図６のステップＳ３４，Ｓ３５の処理に代えて、ＣＰＵ５１により、図１２に示される電話回線接続検知処理が実行されるとよい。
【０１３０】
図１２に示される電話回線接続検知処理では、ＣＰＵ５１は、交換機３３とモデム４２との間を閉結する（Ｓ５１）。
【０１３１】
電話回線網３６がモジュラケーブル３２を介してモジュラジャック３１に接続されている場合、その閉結により、交換機３３から送信されるダイヤルトーンをモデム４２が受信する。したがって、ダイヤルトーンを受信した場合（Ｓ５２：ＹＥＳ）、ＣＰＵ５１は、電話回線網３６がモジュラケーブル３２を介してモジュラジャック３１に接続されていると判断することができる（Ｓ５３）。「電話回線網３６がモジュラケーブル３２を介してモジュラジャック３１に接続されている」の判断は、回線電圧ありの判断と等価である。
【０１３２】
一方、交換機３３からのダイヤルトーンをモデム４２が受信しない場合（Ｓ５２：ＮＯ）、ＣＰＵ５１は、電話回線網３６がモジュラケーブル３２を介してモジュラジャック３１に接続されていないと判断することができる（Ｓ５４）。「電話回線網３６がモジュラケーブル３２を介してモジュラジャック３１に接続されていない」の判断は、回線電圧なしの判断と等価である。
【０１３３】
＜変形例＞
以上、本発明のいくつかの実施形態について説明したが、本発明は、更に他の形態で実施することも可能である。
【０１３４】
たとえば、前述の実施形態では、電流検出部の一例として、フォトカプラ２０を取り上げた。しかしながら、電流検出部には、モジュラジャック３１の第１端子３４とＤＡＡ４１との間の第１配線４５に電流が流れたことに応じて検出信号を出力する構成のものであれば、たとえば、トランスが採用されてもよい。
【０１３５】
また、前述の実施形態では、ＣＰＵ５１が各処理を実行する場合について説明した。しかしながら、ＡＳＩＣ１６が複数のＣＰＵを備え、複数のＣＰＵが協働して各処理を実行してもよい。
【０１３６】
その他、前述の構成には、特許請求の範囲に記載された事項の範囲で種々の設計変更を施すことが可能である。
【符号の説明】
【０１３７】
１    ＭＦＰ
１１  画像形成部
１２  画像読取部
１５  モデム部
１６  ＡＳＩＣ
１７  低圧電源回路
１９  抵抗切替閉回路
２０  フォトカプラ
２１  電源キー
３１  モジュラジャック
３３  交換機
３４  第１端子
３５  第２端子
３６  電話回線
５１  ＣＰＵ
５３  ＲＡＭ
６２  第１接点
６３  第２接点
６６  第１接続線
６７  第２接続線
７１  第１抵抗
７２  第２抵抗
７３  第１トランジスタ
７４  第２トランジスタ
【図１】
0006665556.tif 000002
【図２】
0006665556.tif 000003
【図３】
0006665556.tif 000004
【図４】
0006665556.tif 000005
【図５】
0006665556.tif 000006
【図６】
0006665556.tif 000007
【図７】
0006665556.tif 000008
【図８】
0006665556.tif 000009
【図９】
0006665556.tif 000010
【図１０】
0006665556.tif 000011
【図１１】
0006665556.tif 000012
【図１２】
0006665556.tif 000013